(57)【特許請求の範囲】
【請求項１】
前向きに開口したケース本体と、前記ケース本体の開口部に配置した少なくとも一枚の扉と、前記扉を密閉位置から前方向に移動させたのち間口方向と平行状に移動させるように支持する案内支持手段と、前記ケース本体の開口部よりも外周側の上部及び下部のうち少なくとも一方に形成した前向き開口状の框部を開閉可能に塞ぐ化粧扉とを備えた展示ケースにおいて、
前記化粧扉は、その上側縁又は下側縁に沿って延びる回動軸線周りに開閉回動するように構成されており、前記案内支持手段には、前記扉が前記密閉位置から前方向に移動するのに伴い前記化粧扉の裏面を前方向に押圧当接して前記化粧扉を開き動させる押圧手段が設けられており、前記扉が前記密閉位置にある状態では、前記化粧扉が手動でも前記回動軸線周りに開閉回動可能になっていることを特徴とする展示ケースにおける化粧扉の開閉装置。
【請求項２】
前記押圧手段のうち前記化粧扉に当接する先端部は、前記化粧扉の前記回動軸線から上下方向に離れた位置にあることを特徴とする請求項１に記載した展示ケースにおける化粧扉の開閉装置。
【請求項３】
前記ケース本体及び前記化粧扉のうち少なくとも一方には、前記扉を前記密閉位置に向けて後ろ方向に移動させると前記化粧扉を閉じ動させる復帰手段が設けられていることを特徴とする請求項１又は２に記載した展示ケースにおける化粧扉の開閉装置。
【発明の詳細な説明】
【０００１】
【発明の属する技術分野】
本発明は、博物館や展示場等に設置する展示ケースにおける化粧扉の開閉装置に関するものである。
【０００２】
【従来の技術】
従来から、博物館や展示場等に設置する展示ケースとしては、前向き開口状のケース本体の開口部に複数枚のガラス製等の扉を面一状に並設して、ケース本体を密閉状とし、複数枚の扉のうち少なくとも一枚を、開口部を密閉する位置からケース本体の前方にずらして他の並設した扉との配置間隔を空けたのち、その間口方向（開口部に沿った左右方向）に平行移動させて、扉を開放するという構成のものが知られている。
【０００３】
この種の展示ケースでは、ケース本体の開口部よりも外周側に位置する上下の框部に、前後移動可能な可動レール等からなる支持手段をそれぞれ設け、これら各支持手段で各扉の上下縁部を支持することによって、各扉が前後方向（開口部に対して接離する方向）に平行移動可能でかつ間口方向に平行移動可能となっている。また、各支持手段の保守点検等のため、ケース本体の開口部よりも外周側に位置する上下の框部を前向き開口状に形成して、その開口を前方から覆うための化粧板を、各框部に対して着脱可能に装着したり、上下または左右回動可能に設けたりすることも一般に行われている。
【０００４】
【発明が解決しようとする課題】
ところで、前述の化粧板は、展示ケースの美的外観を保つため、扉のうち支持手段で支持された上下縁部を覆い隠すのに利用されることがある。すなわち、上下框部の各化粧板で扉の上下縁部を前方から覆うことによって、扉を通して支持手段等の部品を見ることができないようにするのである。
【０００５】
しかし、この場合、扉の上下縁部とこれに対応する化粧板の一部とが前後方向に重なっており、扉を前後方向に移動させると、上下の化粧板が干渉することになるから、予め上下の化粧板を取り外すか、または開放するかしない限り、扉を開放することができない。そして、扉を閉止した後は、再び上下の化粧板を元の位置に取り付けるか、または閉止するかしなければならない。このように、前記従来の構成では、扉の開閉が非常に煩雑で作業性が悪いという問題があった。
【０００６】
そこで、本発明は、このような問題を解消した展示ケースにおける化粧扉の開閉装置を提供することを技術的課題とする。
【０００７】
【課題を解決するための手段】
この技術的課題を解決するため、請求項１の発明は、前向きに開口したケース本体と、前記ケース本体の開口部に配置した少なくとも一枚の扉と、前記扉を密閉位置から前方向に移動させたのち間口方向と平行状に移動させるように支持する案内支持手段と、前記ケース本体の開口部よりも外周側の上部及び下部のうち少なくとも一方に形成した前向き開口状の框部を開閉可能に塞ぐ化粧扉とを備えた展示ケースにおいて、前記化粧扉は、その上側縁又は下側縁に沿って延びる回動軸線周りに開閉回動するように構成されており、前記案内支持手段には、前記扉が前記密閉位置から前方向に移動するのに伴い前記化粧扉の裏面を前方向に押圧当接して前記化粧扉を開き動させる押圧手段が設けられており、前記扉が前記密閉位置にある状態では、前記化粧扉が手動でも前記回動軸線周りに開閉回動可能になっているというものである。
【０００８】
請求項２の発明は、請求項１に記載した展示ケースにおける化粧扉の開閉装置において、前記押圧手段のうち前記化粧扉に当接する先端部は、前記化粧扉の前記回動軸線から上下方向に離れた位置にあるというものである。
【０００９】
請求項３の発明は、請求項１又は２に記載した展示ケースにおける化粧扉の開閉装置において、前記ケース本体及び前記化粧扉のうち少なくとも一方には、前記扉を前記密閉位置に向けて後ろ方向に移動させると前記化粧扉を閉じ動させる復帰手段が設けられているというものである。
【００１０】
【００１１】
【発明の実施の形態】
次に、本発明を具体化した実施形態を図面（図１〜図１７）に基づいて説明する。図１〜図１３は、本発明を展示ケースの上化粧扉２０に適用した第１実施形態である。まず、第１実施形態の展示ケースの概要について説明する。
【００１２】
図１に示すように、第１実施形態のケース本体１は、前向きに開口した箱型に形成されている。ケース本体１内の上部には、開口部１ａの間口方向（開口部１ａに沿った左右方向）に長い前後一対の上固定枠２，２が配置されており（図３で前寄り（開口部１ａ側）の上固定枠２のみを示す）、これら上固定枠２，２の下面には天井板１４が設けられている（図２及び図１０参照）。
【００１３】
また、ケース本体１内の下部には、間口方向に長い前後一対の下固定枠（図示せず）が配置されており、これら下固定枠の上面には、床板１５が設けられている（図１及び図２参照）。
【００１４】
第１実施形態では、ケース本体１の内部のうち天井板１４よりも上方の空間が上框部１６に構成されており、床板１５よりも下方の空間が下框部１７に構成されている。
【００１５】
上框部１６の前面開口部には、二つの上化粧扉２０，２０が左右に面一状に配置されており、これら各上化粧扉２０は、その上側縁に沿って延びる回動軸線周りに上下回動可能に構成されている（図１及び図１０参照）。
【００１６】
上框部１６においては、これを左右に区画する縦桟部材６３（図３参照）の左右両側面と、開口部１ａの左右両側端部となる縦支柱６４，６４（図３参照）の側面に、各上化粧扉２０を磁力で吸着固定する従来公知のマグネットキャッチ体付きの板片６６（第１実施形態では計四つ、図１にはそのうちの二つを図示している）がネジ止めされている。
【００１７】
また、下框部１７の前面開口部には、二つの下化粧扉２１，２１が、上化粧扉２０の配置に対応させて左右に面一状に配置されており、これら各下化粧扉２１は、その下側縁に沿って延びる回動軸線周りに上下回動可能に構成されている（図１参照）。そして、下框部１７においても、従来公知のマグネットキャッチ体付きの板片６６（第１実施形態では計四つ、図１にはそのうちの二つを図示している）が備えられている。
【００１８】
ケース本体１の開口部１ａを塞ぐための二つの扉３，３は、透明ガラス板製等の表面板３ａの上下縁部のうち裏面側の部位と、アルミ押出部材製等の上下縁部材１１，１１の前面とを、シリコン樹脂製等の接着剤１３で固定してなるものであり（図２参照）、第１実施形態では、これら二つの扉３，３を面一状に配置することによって開口部１ａを密閉できるようになっている。また、開口部１ａを閉止した状態では、上下に並ぶ化粧扉２０，２１の間に一つの扉３が位置するようになっている（図１参照）。
【００１９】
扉３の上下縁部と上下縁部材１１との接着面や後述する案内支持手段４等が扉３を介して見えないようにする（隠す）ため、各化粧扉２０，２１の高さ（閉止状態での上下方向の長さ）は、扉３の上下縁部を前方から覆い隠せる高さに設定されている。すなわち、上下の化粧扉２０，２１と扉３とは前後方向（扉３が開口部１ａに対して接離する方向）に重なって、扉３の上縁部が上化粧扉２０の裏面に臨むとともに、扉３の下縁部が下化粧扉２１の裏面に臨むように構成されている（図１０で上化粧扉２０と扉３との関係のみを示す）。
【００２０】
上下の縁部材１１，１１は、開口部１ａの間口方向に長くかつ断面略Ｅ字状に形成されている。また、これら両縁部材１１，１１には、扉３が不用意に脱落しないための安全対策として、ケース本体の前方向に突出する鉤爪状突条１１ｃが各々形成されている。
【００２１】
扉３の上縁部は、後述する上側の案内支持手段４を介して、上框部１６における前寄りの上固定枠２の上面に取り付けられており、扉３の下縁部は、後述する下側の案内支持手段４を介して、下框部１７における地枠１９の後方（奥行き方向）に設けた台枠３２上に取り付けられている。これら上下の案内支持手段４，４によって、扉３は、前後方向に平行移動可能でかつ間口方向に平行移動可能となっている。
【００２２】
左右の扉３，３で開口部１ａを閉じた状態では、この開口部１ａの周縁に取り付けたパッキン６に対して各扉３の表面板３ａが同一垂直面上に位置するように密接することによって、ケース本体１が密閉される。開口部１ａを開放する場合は、一つの扉３を、パッキン６に密接した位置から前方向に適宜距離だけ前進させるのである。
【００２３】
なお、各扉３，３の表面板３ａの板厚部分を互いに密接させてケース本体１内を気密保持するため、各表面板３ａの左右方向中央側の縦側縁には、断面直角三角形状の目地部材６５がその斜辺を外向きにして接着剤等で固定されている（図３参照）。この場合、目地部材６５を透明・軟質の合成樹脂材で形成すると、ケース本体１内の展示品の鑑賞時に目地部材６５の存在が目障りにならない。
【００２４】
ケース本体１には、扉３を前後方向に駆動させるための駆動手段（詳細は後述する）が案内支持手段４に関連させて設けられている。すなわち、第１実施形態では駆動手段が各扉３ごとに設けられている。
【００２５】
次に、案内支持手段４の構成について説明する。この案内支持手段４は、各扉３の上下部に対して上下対称状に形成されており、いずれも基本的に同じ構成である。そこで、一つの扉３の上部側に配置した案内支持手段４を例として、以下に説明する。
【００２６】
図１〜図３に示すように、案内支持手段４は、上框部１６における前寄りの上固定枠２の上面に適宜間隔でボルト止めした複数個の摺動ブロック７（図１では三つ）と、当該各摺動ブロック７に前後摺動可能に嵌挿した摺動軸７ａと、これら各摺動軸７ａの先端に固定した左右長手の支持枠９と、この支持枠９の前面（開口部１ａ側の側面）に取り付けた複数個の垂直転動コロ１０とで構成されている。
【００２７】
複数個の垂直転動コロ１０は上縁部材１１を支持案内するためのものであり、上縁部材１１の後面側に開口した左右長手の嵌合溝１１ａ，１１ｂのうち下方のガイド溝としての第１嵌合溝１１ａに嵌め込まれている。この第１嵌合溝１１ａの上下内面を各垂直転動コロ１０が転動することによって、扉３は左右摺動できるようになっている。
【００２８】
なお、第１実施形態では、扉３の前後方向の振れを防止するため、連結金具２６を介して上下各支持枠９に固定したガイドローラ２７のローラ面を上縁部材１１に当接させている（図２参照）。
【００２９】
上下の縁部材１１，１１を左右摺動可能とする構成は、前述の形態に限らず、例えば支持枠９とこれに対応する縁部材１１との間に、リテーナで自転可能に保持した多数個のボールを一列状に介挿することによって、縁部材１１を軽い力で左右摺動可能とするサスペンション手段（図示せず）を採用してもよい。
【００３０】
次に、各扉３ごとに設けられた駆動手段について説明する。図１及び図６に示すように、駆動手段は、一つの操作部３０と、少なくとも上下一つずつの作動部３１（第１実施形態では上下にそれぞれ二つずつ）とを有しており、第１実施形態では、下框部１７における台枠３２の前面に、操作部３０を構成する操作部ケース３３がボルトやナット等で固定されている（図１及び図４参照）。
【００３１】
操作部ケース３３内には、中央の操作軸３４と四隅の従動軸３５とが、それぞれ軸受け３６を介して回転可能に配置されており、操作軸３４と一体的に回転する大歯車４０に、各従動軸３５に固定した小歯車４１に噛み合わせることによって、一つの操作軸３４で四つの従動軸３５を同期させて同じ方向に回転するように構成されている（図５参照）。操作軸３４の前端部（角状軸部）３４ａは、操作部ケース３３の前面から前向きに突出している。
【００３２】
通常、下框部１７の開口は上下回動可能な下化粧扉２１で覆われており、下框部１７内の操作部ケース３３及び操作軸３４は、展示ケースの前方から見えなくなっている（隠されている）。扉３の開き操作をするに際しては、下化粧扉２１を展示ケースの前方向に手動で引き倒してから（図１参照）、操作軸３４の前端部（角状軸部）３４ａに丸ハンドル等の操作ハンドル３８を取り付けて回すようになっている。
【００３３】
各従動軸３５の後端には、後述する各作動部３１に回転力を伝達するためのケーブル４２の先端部が差し込まれており、このケーブル４２の先端部と従動軸３５とは連結用止めネジ４３を介して着脱可能に連結されている。なお、ケーブル４２とは、細いピアノ線（鋼線）やこれを複数本縒り合わせたもの、金属素線を複数本縒り合わせたもの等をいう。
【００３４】
また、操作部ケース３３の後板に固定したガイドブロック４４（第１実施形態では四つ）の各々には、ケーブル４２の外周に被嵌した可撓性を有するアウター管４５の先端部が差し込まれている。各アウター管４５の先端部を所定長さ以上従動軸３５の軸心と一致させるように構成することによって（図４参照）、内径側のケーブル４２の円滑な回転が保証されている。各ケーブル４２付きアウター管４５はケース本体１内に配管されている（図１参照）。
【００３５】
作動部３１は、上框部１６における上固定枠２の上面及び下框部１７における台枠３２の上面に設けられたものである。各作動部３１は、各扉３の上下部に対して上下対称状に形成されており、いずれも基本的に同じ構成であるので、一つの扉３の上部側に配置したものを例として、以下に説明する。
【００３６】
図６及び図７に示すように、上固定枠２の上面にボルト等で固定したベース４６には、前後一対の支持ブロック４７，４７が立設されており、これら両支持ブロック４７，４７間には左右一対のガイド軸４８，４８が配置されている。左右のガイド軸４８，４８の間には、両支持ブロック４７，４７に設けた軸受けを介して回転可能に構成したネジ軸４９が配置されている。
【００３７】
ネジ軸４９に螺合した移動ブロック５０の両端は、左右のガイド軸４８，４８に摺動可能に被嵌させている。移動ブロック５０に基端部をネジ５１止めした連結体５２の先端部は、下向きに屈曲させて係止片５３に構成されており、この係止片５３が支持枠９の上面に穿設した平面視略矩形状の係止孔５４に遊嵌されている。
【００３８】
これは遊び連結の実施形態の一つである。この場合、扉３の前後方向（開口部１ａに対して接離する方向）に扁平な係止片５３と平面視略矩形状の係止孔５４との間で前後方向に遊び隙間が空くように、係止片５３の板厚と係止孔５４の前後方向の寸法との関係が設定されている（図７参照）。
【００３９】
ネジ軸４９の基端部にはケーブル４２の他端部が差し込まれており、ネジ軸４９とケーブル４２の他端部とは連結用止めネジ５５を介して着脱可能に連結されている。ケーブル４２の外周に被嵌したアウター管４５の他端部は、後ろ寄りの支持ブロック４７に固定したガイドブロック５６に差し込まれている。この場合も、アウター管４５の他端部を所定長さ以上ネジ軸４９の軸心と一致させるように構成することによって（図７参照）、内径側のケーブル４２の円滑な回転が保証されている。
【００４０】
なお、ケース本体１内に配管したアウター管４５の屈曲部は、その曲率半径があまり小さくならないように、換言すると、内挿したケーブル４２がアウター管４５の内周面につかえないように、本体ケース１内の湾曲ガイド部５７（図１では四つ）に沿わせて固定されている。
【００４１】
次に、図２、図８及び図９を参照しながら、各案内支持手段４に設けたストッパー手段２２の構成について説明する。ここで、第１実施形態のストッパー手段２２は、各扉３の上下部に対して上下対称状に形成されており、いずれも基本的に同じ構成であるので、一つの扉３の上部側に配置したものを例として、以下に説明する。
【００４２】
ストッパー手段２２は、間口方向に平行移動する扉３を、開口部１ａに対する密閉位置の近傍で停止させるためのものであり、上縁部材１１における上方の第２嵌合溝１１ｂに対して長手方向（間口方向）に適宜間隔で複数個貫設した係合ピン２３と、支持枠９の上面のうち係合ピン２３との対応部位に左右回動可能に取り付けた平面視略扇形状のストッパー体２４と、このストッパー体２４を前方向に押圧付勢するように支持枠９の後面に上向き突設した弾性片２５とで構成されている。ストッパー体２４及び弾性片２５は、それぞれ係合ピン２３に対応する個数だけ（図９では一つの扉３に二つずつ）設けられている。
【００４３】
ストッパー体２４は、扉３を密閉位置の近傍で停止させるに際して弾性片２５に当接する当接部２４ａと、回動半径Ｒ０の略円弧状部位の中央部に凹み形成した係合凹所２４ｂと、略円弧状部位の左右両端に所定長さＬだけ直線状に形成した回動規制部２４ｃ，２４ｃと、当接部２４ａと各回動規制部２４ｃ，２４ｃとの間の肩部２４ｄ，２４ｄとを有しており、ストッパー体２４が第２嵌合溝１１ｂに嵌った状態で左右回動することによって、上縁部材１１に取り付けた係合ピン２３が係合凹所２４ｂに対して係脱するようになっている。
【００４４】
扉３を、密閉位置の近傍に位置決めされた状態（図９（ａ）参照）から左右方向に摺動させると（図９では右方向に摺動させている）、係合凹所２４ｂに係止していた係合ピン２３が右方向に移動して、ストッパー体２４を右向き回動させるとともに、係合凹所２４ｂから係合ピン２３が離れる（図９（ｂ）参照）。この場合、図示していないが、扉３の下部側の支持枠９に設けた二つのストッパー体２４，２４は、ともに同様の動作を行っている。
【００４５】
扉３をさらに右方向に摺動させると、係合凹所２４ｂの開口が右を向くように回動したストッパー体２４の左肩部２４ｄに、このストッパー体２４に係止していた係合ピン２３よりも摺動方向後方の係合ピン２３が衝突して、通過が阻止される（図９（ｃ）参照）。
【００４６】
図９（ｃ）の状態では、ストッパー体２４の右肩部２４ｄが弾性片２５に当接して前方向に押圧付勢されるとともに、回動規制部２４ｃ，２４ｃの回動半径Ｒ１がストッパー体２４の略円弧状部位の回動半径Ｒ０よりも大きいから、右向き回動の途中で左回動規制部２４ｃが嵌合溝１６につかえることになる。したがって、図９（ｃ）の姿勢以上にストッパー体２４が右向き回動することはない。
【００４７】
逆に、扉３を密閉位置で停止させるには、図９（ｃ）の状態から扉３を左方向に摺動させる。そうすると、係合ピン２３が左方向に移動して左側のストッパー体２４の係合凹所２４ｂに係合し、このストッパー体２４が左向き回動する（図９（ｂ）参照）。扉３をさらに左方向に摺動させてストッパー体２４を左向き回動させると、当接部２４ａが弾性片２５に当接して前方向に押圧付勢され、ストッパー体２４の左向き回動、ひいては扉３の左方向への摺動を停止させるのである（図９（ａ）参照）。
【００４８】
なお、ストッパー手段２２は、各扉３の上下部に対して上下対称状に配設するに限らず、各扉３の上下部のうちいずれか一方のみに配設してもよい。また、第２嵌合溝１１ｂに代えて、例えば縁部材１１に形成した段状部に、係合ピン２３を長手方向（間口方向）に適宜間隔で複数個上向き突設し、この段状部上を前記ストッパー体２４が通過して左右回動するように構成してもよい。さらに、ストッパー体２４と弾性片２５とを縁部材１１に取り付け、係合ピン２３を支持枠９に取り付けてもよい。
【００４９】
次に、第１実施形態における上化粧扉２０及び連動手段の詳細な構造について説明する。
【００５０】
図１０に示すように、上框部１６の前面開口部に設けた上化粧扉２０は、上下縁部に囲い壁を一体成形して後ろ向きに開口させた金属板製等のものであり、その内面には、後述する押圧杆７５のローラ体７５ｄが当接する左右長手の横桟部材２０ａが溶接等で固定されている。図１１に示すように、上化粧扉２０の上縁部のうち左右両側には、左右方向外向きに開口した軸穴７１付きの軸受部材７０が設けられている（第１実施形態では二つ）。
【００５１】
他方、前寄りの上固定枠２の上方に設けた天枠１８の前面には、側面視略Ｌ字状に形成した二つの回動支持部材７２，７２が左右に適宜隔てて溶接等で固定されている（図１０及び図１１参照）。これら各回動支持部材７２，７２の先端部には、左右方向中央向きに突出する枢軸ピン７３が取り付けられており、各枢軸ピン７３をこれに対応した軸受部材７０の軸穴７１に嵌め込むことによって、上化粧扉２０が枢軸ピン７３，７３同士を結ぶ回動軸線周りに上下回動可能となっている（図１及び図１０参照）。
【００５２】
なお、上化粧扉２０の下側の囲い壁には、ゴム等の軟質弾性材からなる緩衝体７４が接着剤等で固定されており、上化粧扉２０を閉止するに際して、緩衝体７４が扉３の表面板３ａの前面に当接することによって閉止の衝撃を吸収して、振動及び衝撃音を低減し、また、内部の照明装置の光もれをなくすようになっている。
【００５３】
第１実施形態における連動手段は、扉３を密閉位置から前方向（開口部１ａから離れる方向）に移動させるにつれて上化粧扉２０を開き動させるように関連付けるためのものであり、第１実施形態では、案内支持手段４を構成する支持枠９に、案内支持手段４の前進力を上化粧扉２０に伝達するための複数の押圧杆７５（図１及び図１０では二つ）を左右に適宜隔ててネジ７６止めした構成となっている。
【００５４】
図１０及び図１２に示すように、各押圧杆７５は、支持枠９にネジ７６固定したプレート部７５ａから上向きに延びる垂直バー部７５ｂと、この垂直バー部７５ｂの上端部から前向きに突出した水平バー部７５ｃとで側面視略Ｌ字状に形成されており、水平バー部７５ｃの先端に、上化粧扉２０の横桟部材２０ａに当接するローラ体７５ｄが回転可能に取り付けられている。なお、押圧杆７５は請求項に記載した押圧手段に相当するものである。
【００５５】
扉３を密閉位置から前方向に移動させた場合は、扉３を押し出す支持枠９とともに押圧杆７５，７５が前方向に移動して、各押圧杆７５のローラ体７５ｄが上化粧扉２０の横桟部材２０ａを前向きに押圧するので、上化粧扉２０は扉３の前進動と同期して上向き回動するのである（図１０の実線状態参照）。上化粧扉２０と扉３の上縁部とは閉止状態で前後方向に重なっているが、このように上化粧扉２０が扉３の前進動と同期して上向き回動するので、上化粧扉２０が扉３の前進動を妨げることはない。
【００５６】
また、上化粧扉２０を閉止するに際しては、予め扉３を密閉位置に向けて後ろ方向（奥行き方向）に移動させておくと、扉３を引き込む支持枠９とともに押圧杆７５，７５も後ろ方向に移動して上框部１６内に収納される（図１０の二点鎖線状態参照）ので、押圧杆７５，７５が上化粧扉２０の閉止を妨げることはないのである。
【００５７】
上固定枠２の上方に位置する天枠１８の下面には、上化粧扉２０を大きく開放した状態で支持するための支持棒７７が左右回動可能に取り付けられている（図１０及び図１３参照）。この場合、図１０の実線状態の上化粧扉２０を手動で大きく上向き回動させた後、上框部１６の前面開口部から前方向に突出するように支持棒７７を回動させ、この支持棒７７上に上化粧扉２０を載置することによって、上化粧扉２０を大きく開放した状態に保持でき、案内支持手段４や天井部の照明用光源の取替え等の保守点検作業がし易いようになっている。なお、支持棒７７の上面の先端部には、ゴム等の摩擦係数の大きい部材やマグネット等からなる滑り止め７８が取り付けられている（図１３参照）。
【００５８】
以上の構成において、各扉３及びこれに対応する上下の化粧扉２０，２１を開放・密閉する動作の態様について説明する。
【００５９】
まず、下框部１７における下化粧扉２１を展示ケースの前方向に手動で引き倒して（図１参照）、図４に示す操作部３０が現れるようにし、操作ハンドル３８を操作軸３４の前端部３４ａに差し込んで所定方向（時計方向）に回すことによって、４本のケーブル４２を同時に所定方向に回動させる。
【００６０】
そうすると、各作動部３１では、これに対応するケーブル４２を介してネジ軸４９が時計方向（右方向）に回転することによって、移動ブロック５０が前方に移動するので、これにネジ５１止めした連結体５２の係止片５３が係止孔５４を介して支持枠９を前方に押し出し、ひいては扉３を密閉位置から前方向に所定距離Ｓだけ押し出す。
【００６１】
このとき、支持枠９とともに押圧杆７５，７５が前方向に移動して、各押圧杆７５のローラ体７５ｄが上化粧扉２０の裏面側の横桟部材２０ａを前向きに押圧するので、上化粧扉２０は扉３の前進動と同期して上向き回動する（図１０の実線状態参照）。したがって、作業者が下框部１７内の操作部３０を回動させる（扉３の開放操作をする）だけで、扉３と上化粧扉２０とが一緒に開放されるのである。なお、図示していないが、下框部１７の台枠３２上に設けた各作動部３１もそれぞれ同様の動作を行っている。
【００６２】
扉３を開放するのは、通常、ケース本体１内の展示品を入れ替えたり、ケース本体１内を掃除したりする場合であるが、これらの作業と並行して各案内支持手段４や天井部の照明用光源の取替え等の保守点検（メンテナンス）作業を行うときには、第１実施形態のように、扉３の開放操作をすることによって、扉３のみならず上化粧扉２０まで開放できるようにすると、各案内支持手段４の保守点検作業に際して、上化粧扉２０を開ける手間が省けるので、作業者にとって使い勝手のよいものとなる。また、上化粧扉２０を開けるために脚立等に載って作業する必要がないから、安全性も高いのである。
【００６３】
上化粧扉２０は扉３の前進動と同期して上向き回動するから、扉３の上縁部と上化粧扉２０とを閉止状態で前後方向に重ね合わせて、展示ケースの美観を保持する配置形態であっても、上化粧扉２０が扉３の前進動を妨げることはなく、従来よりも極めて簡単に扉３を開閉できる。
【００６４】
さらに、連動手段として、扉３の上縁部側の支持枠９に複数個の押圧杆７５を左右に適宜隔ててネジ７６固定するという簡単な構造を採用したから、上下回動式の上化粧扉２０を確実に開き動させることができるものでありながら、部品点数が少なくて故障し難いし、コストも安価で済むのである。
【００６５】
図１４及び図１５は、展示ケースの上下両化粧扉２０，２１に本発明を適用した第２実施形態を示している。ここで、第２実施形態を含む以下の実施形態において、構成及び作用が第１実施形態と変わらないものは、同じ符号を付して詳細な説明を省略する。
【００６６】
第２実施形態では、各作動部３１のネジ軸４９に取り付けた正逆回転可能な駆動モータ（図示せず）でネジ軸４９を駆動させる構成が採用されている。上下の化粧扉２０，２１及び扉３は、その前面が同一垂直面上に位置するように、すなわち上下に面一状に配置されている（図１５で下化粧扉２１と扉３との関係のみを示す）。
【００６７】
この場合、扉３の上下縁部は展示ケースの前面側に露出しているので、扉３の上下縁部と接着剤１３との接着面に予め塗装膜を塗布しておくか、またはシート等を貼着しておくことによって、この接着面や案内支持手段４等が扉３を介して見えない（隠す）ようにして展示ケースの体裁を整えている。
【００６８】
図１４及び図１５に示すように、第２実施形態における連動手段は、扉３を密閉位置から前方向に移動させるにつれて、上化粧扉２０だけでなく下化粧扉２１も開き動させるように関連付けるためのものである。すなわち、扉３の下縁部側の支持枠９にも、複数の押圧杆７５を左右に適宜隔ててネジ７６止めした構成となっている。この場合、各押圧杆７５は、垂直バー部７５ｂが支持枠９から下向きに突出するように取り付けられている。
【００６９】
また、下框部１７内の台枠３２の前面には少なくとも一つの定滑車８０が取り付けられている。この定滑車８０に掛け回したワイヤ８１の一端は、下化粧扉２１の内面（裏面）側の適宜部位に固定される一方、当該ワイヤ８１の他端には錘８２が取り付けられている。これら定滑車８０、ワイヤ８１及び錘８２は請求項に記載した復帰手段に相当する。
【００７０】
以上の構成において、各扉３及びこれに対応する上下の化粧扉２０，２１を開放・密閉する動作の態様について説明する。
【００７１】
図示しない駆動モータでネジ軸４９を時計方向（右方向）に回転させて、移動ブロック５０を前方に移動させることによって、扉３を密閉位置から前方向に移動させると、上下の支持枠９，９とともに各押圧杆７５が前方向に移動して、各押圧杆７５のローラ体７５ｄがこれに対応する化粧扉２０，２１の横桟部材２０ａ，２１ａを前向きに押圧するので、扉３の前進動と同期して上化粧扉２０は上向き回動し、下化粧扉２１は下向き回動する（図１５の実線状態参照）。
【００７２】
その後、扉３を密閉位置に向けて後ろ方向（奥行き方向）に移動させると、上下の支持枠９，９とともに各押圧杆７５が後ろ方向に移動して、各框部１６，１７内に収納されるので、上化粧扉２０は、重力の作用で閉止位置に戻るように下向き回動する。
【００７３】
他方、下化粧扉２１に対する各押圧杆７５の押圧支持が解除されたことによって、錘８２が重力の作用で落下し、この錘８２に取り付けたワイヤ８１を介して下化粧扉２１が上向きに回動するように引き戻されて、下框部１７の開口が閉止されるのである（図１５の二点鎖線状態参照）。
【００７４】
このように、台枠３２の前面に設けた定滑車８０に掛け回したワイヤ８１を介して、下化粧扉２１と錘８２とを連結するように構成すると、下化粧扉２１が下側縁に沿って延びる回動軸線周りに上下回動するものであっても、扉３の後退動に連動して自動的に下化粧扉２１を閉止できるので、作業者にとってさらに使い勝手のよいものとなるのである。
【００７５】
なお、第２実施形態は、図示しない駆動モータで扉３を前後動させる構成に代えて、吸着把手等を用いて手動で扉３を前後移動させる構成としてもよい。
【００７６】
図１６は復帰手段の別例を示している。この例では、下化粧扉２１の下縁部側の左右両端部とケース本体１の下面とがコイルバネ８３，８３を介して連結されており、地枠１９の前面に設けた二つの回動支持部材７２，７２の各枢軸ピン７３をこれに対応したコイルバネ８３の筒部８３ａに嵌め込むことによって、下化粧扉２１が枢軸ピン７３，７３同士を結ぶ回動軸線周りに上下回動可能に構成されている。
【００７７】
この構成によると、開放した状態の扉３を密閉位置に向けて後ろ方向に移動させた場合、コイルバネ８３，８３の弾性付勢力によって下化粧扉２１を閉じ動させることができる。このように、本発明に係る復帰手段は、前述の定滑車８０、ワイヤ８１及び錘８２からなるものに限らず、図１６に示すコイルバネ８３，８３であってもよい。
【００７８】
図１７は、上下スライド式の上化粧扉９０に関する参考例である。この参考例では、上框部１６の開口側の上寄り部位に、開けた上化粧扉９０を収納する戸袋９１が設けられており、上框部１７内の横長の中仕切枠９２の前面には、センサ９３ａ付きの巻上機９３の複数個が左右に適宜間隔で取り付けられている。
【００７９】
これら各巻上機９３に巻回されたロープ９４の一端は、天枠１８を上下に貫通する穴１８ａ，１８ｂを通って天枠１８上と戸袋９１内に固定した定滑車９５，９６に掛け回した状態で、上化粧扉９０の上面に固定されている。この場合、扉３の前後方向への移動に連動して上化粧扉９０を開閉動させる開閉連動手段は、各巻上機９３のロープ９４に上化粧扉９０を吊り懸ける構成になっている。
【００８０】
参考例では、扉３の前進動の最初期において、各連結体５２の上面に上向き突設した突出部５２ａが前方に移動したことを、これに対応する巻上機９３のセンサ９３ａで感知することによって巻上機９３がロープ９４を高速で巻き取るので、当該ロープ９４に吊り懸けられた上化粧扉９０が上向きにすばやく吊り上げられて、上框部１６の開口が開放される（図１７の実線状態参照）。
【００８１】
逆に、扉３を後退動させると、当該扉３が密閉位置まで後退する直前に、各巻上機９３のセンサ９３ａが各連結体５２の突出部５２ａを感知して、巻上機９３からロープ９４が繰り出される。これにより、戸袋９１内の上化粧扉９０が下降して、上框部１６の開口が閉止される（図１７の二点鎖線状態参照）。
【００８２】
したがって、参考例の構成によると、扉３の開閉操作をするだけで上化粧扉９０まで開閉できるので、上化粧扉９０を開閉する手間が省けて、作業者にとってさらに使い勝手がよいものとなるのである。
【００８３】
本発明は、前述の各実施形態に限らず、様々な態様に具体化できる。例えば扉３は、全ての開口部を開放可能に構成する必要はなく、一部を固定扉としてもよい。前述の各実施形態では、ケース本体１の前面側を密閉する扉３を二枚配置していたが、一枚の扉で密閉するように構成してもよいし、三枚以上の扉で密閉するように構成してもよい。また、扉３は、ケース本体１の前面側のみならず、開口部があれば四方のいずれの面にも設置できる。
【００８４】
本発明に係る押圧手段は、例えば縁部材１１や摺動軸７ａに取り付けたりしてもよい。その形状や構造も前述の実施形態のものに限定されない。要は、扉３が密閉位置から前方向に移動するのに伴って化粧扉２０，２１の裏面を前方向に押圧できるようになっていればよいのである。
【００８５】
【発明の効果】
前述したように、ケース本体の開口部に配置した扉を開放するのは、通常、ケース本体内の展示品を入れ替えたり、ケース本体内を掃除したりする場合であるが、これらの作業と並行して、例えば案内支持手段や天井部の照明用光源の取替え等の保守点検（メンテナンス）作業を行う場合には、本発明のように、扉を密閉位置から前方向に移動させるにつれて、押圧手段にて化粧扉を裏面側から前方向に押圧して、化粧扉を開き動させるという構成を採用すると、扉の開放操作をするだけで、扉のみならず化粧扉まで開放できるので、前記化粧扉を開ける手間が省けて、作業者にとって使い勝手のよいものとなるという効果を奏する。また、例えば扉の上方に位置する化粧扉を開けるために脚立等に載って作業したりする必要がないから、安全性も高いという効果を奏する。
【００８６】
しかも、扉が密閉位置から前方向に移動するのに伴い化粧扉の裏面を前方向に押圧する押圧手段を案内支持手段に設けるという簡単な構成を採用したから、回動式の化粧扉を確実に開き動させることができるものでありながら、部品点数が少なくて故障し難いし、コストも安価で済むという効果を奏する。
【００８７】
また、請求項３のように構成すると、押圧手段によって、扉の開き操作と連動させて化粧扉を開放できるとともに、ケース本体及び化粧扉のうち少なくとも一方に設けた復帰手段によって、扉の閉じ操作と連動させて化粧扉を閉止できるので、さらに作業性が向上するという効果を奏する。
【００８８】
【図面の簡単な説明】
【図１】  第１実施形態における展示ケースの概略斜視図である。
【図２】  案内支持手段の拡大側断面図である。
【図３】  図１のＩＩＩ−ＩＩＩ視平断面図である。
【図４】  操作部の側断面図である。
【図５】  操作部の平面図である。
【図６】  摺動ブロック及び作動部の一部切欠き平面図である。
【図７】  作動部の一部切欠き要部拡大平面図である。
【図８】  ストッパー手段による扉の停止状態を示す平面図である。
【図９】  ストッパー手段の作用を説明する概略図であり、（ａ）は扉が密閉位置の近傍に位置するときのストッパー手段の図、（ｂ）は係合ピンがストッパー体を右回動させるとともに係合凹所から離れていく状態を示す図、（ｃ）は係合ピンがストッパー体に衝突して通過を阻止された状態を示す図である。
【図１０】  連動手段の作用を示す側断面図である。
【図１１】  化粧扉と回動支持部材との枢支状態を説明する概略図である。
【図１２】  押圧手段の概略斜視図である。
【図１３】  支持棒の作用を示す概略斜視図である。
【図１４】  第２実施形態における展示ケースの概略斜視図である。
【図１５】  復帰手段の作用を説明するための下框部の側断面図である。
【図１６】  復帰手段の別例を示す図である。
【図１７】  参考例における開閉連動手段の作用を示す側断面図である。
【符号の説明】
１  ケース本体
３  扉
４  案内支持手段
７  摺動ブロック
７ａ  摺動軸
９  支持枠
１０  垂直転動コロ
１１  縁部材
１６，１７  框部
２０，２１  化粧扉
２０ａ，２１ａ  横桟部材
２２  ストッパー手段
７０  軸受部材
７２  回動支持部材
７５  押圧手段としての押圧杆
８０  定滑車
８１  ワイヤ
８２  錘
【図１】
0004088461.tif 000002
【図２】
0004088461.tif 000003
【図３】
0004088461.tif 000004
【図４】
0004088461.tif 000005
【図５】
0004088461.tif 000006
【図６】
0004088461.tif 000007
【図７】
0004088461.tif 000008
【図８】
0004088461.tif 000009
【図９】
0004088461.tif 000010
【図１０】
0004088461.tif 000011
【図１１】
0004088461.tif 000012
【図１２】
0004088461.tif 000013
【図１３】
0004088461.tif 000014
【図１４】
0004088461.tif 000015
【図１５】
0004088461.tif 000016
【図１６】
0004088461.tif 000017
【図１７】
0004088461.tif 000018